(57)【要約】【課題】  乗降時の注意事項や行先ガイドや広告などの各種情報を乗客が十分な時間を持って視認できるようにし、しかも、各種情報を、容易に取り替えることを可能にした乗客コンベアの踏段を提供する。【解決手段】  乗客コンベアの踏段１に踏板１１を備える。この踏板１１には、乗客が立つ踏面を有し、この踏面側から下方を透視可能なクリート部材１１ｂが設けられている。このクリート部材１１ｂの下方には、前記クリート部材１１ｂを透して乗客に情報を提供する情報表示媒体の取付部１５が設けられている。【選択図】      図２
2005247471.tif 000002
【特許請求の範囲】
【請求項１】
乗客が立つ踏面を有し、この踏面側から下方向を透視可能なクリート部材と、このクリート部材の踏面下方に設けられ、前記クリート部材を透して乗客に情報を提供する情報表示媒体の取付部とを備えたことを特徴とする乗客コンベアの踏段。
【請求項２】
前記クリート部材が、着脱可能に取り付けられたことを特徴とする請求項１に記載の乗客コンベアの踏段。
【請求項３】
前記取付部に異物が侵入しないように前記取付部を封止する封止手段を備えたことを特徴とする請求項１又は２に記載の乗客コンベアの踏段。
【請求項４】
前記クリート部材の下方から前記取付部に情報表示媒体を挿脱するための開口が、後面端部に設けられたことを特徴とする請求項１に記載の乗客コンベアの踏段。
【発明の詳細な説明】
【技術分野】
【０００１】
本発明は、乗客コンベアの踏段に関する。
【背景技術】
【０００２】
エスカレータや動く歩道といった乗客コンベアは、無端状に走行移動する複数の踏段を備え、この踏段の両側には欄干が設けられて、踏段と同期して同一方向に移動する移動手すりを支持案内している。そして、乗客は、一方の乗降口に設けられた乗降板から踏段の踏面に立ち、移動手すりに手を添えた状態で他方の乗降口まで移動される。
【０００３】
かかる乗客コンベアにおける一方の乗降口から他方の乗降口までの移動中に、乗客が乗降時の注意事項や行先ガイドや広告などの各種情報を得られるようにすることは、乗客の利便に資するので好ましい。
【０００４】
従来、エスカレータや動く歩道において各種情報を表示するために、乗降口における乗降板や、欄干に取り付けられた欄干パネルに、その各種情報が表示されているシートを貼り付けることが行われていた。
【０００５】
しかしながら、このように各種情報が表示されているシートを、乗降板や欄干パネルに貼り付けて表示させたのでは、エスカレータを利用する乗客は、乗降板又は欄干パネルのシートが貼り付けられた位置を通過する間のわずかな時間のみでしかシートを視認することができず、十分な情報表示効果が得られなかった。
【０００６】
また、踏段の踏面に、塗料を用いて各種情報を描くことも行われていた。しかし、この場合には、情報を変更しようとしたときに、踏段の踏面上の塗料を落とし、再度、塗料を用いて各種情報を描くという、労力のかかる作業を要する。
【発明の開示】
【発明が解決しようとする課題】
【０００７】
本発明は、前述した問題を有利に解決するもので、乗降時の注意事項や行先ガイドや広告などの各種情報を、乗客が十分な時間を持って視認できるようにし、しかも、各種情報を容易に取り替え可能にした乗客コンベアの踏段を提供することを目的とする。
【課題を解決するための手段】
【０００８】
本発明は、乗客が立つ踏面を有し、この踏面側から下方向を透視可能なクリート部材と、このクリート部材の踏面下方に設けられ、前記クリート部材を透して乗客に情報を提供する情報表示媒体の取付部とを備えたことを特徴とする乗客コンベアの踏段である。
【発明の効果】
【０００９】
本発明の踏段によれば、乗客が、一方の乗降口から他方の乗降口まで移動する時間全体にわたって、情報表示媒体に表された情報を踏面側から視認することができるので、各種情報を乗客へ効果的に伝達することが可能になる。
【発明を実施するための最良の形態】
【００１０】
以下、図面を用いて、本発明の乗客コンベアの踏段の実施形態を説明する。
【００１１】
図１は、本実施形態の踏段を備えた乗客コンベアとしてのエスカレータの全体を概略的に示す図、図２は図１のエスカレータの踏段の平面図である。図１において、このエスカレータは、無端状に走行移動する複数の踏段１を備え、この踏段１の両側には欄干２が設けられて、踏段１と同期して同一方向に移動する移動手すり３を支持案内している。そして、乗客は、エスカレータの一方の乗降口に設けられた乗降板４から踏段１の踏面に立ち、踏段１の走行移動に伴って、移動手すり３に手を添えた状態で他方の乗降口まで移動される。
【００１２】
踏段１は、乗客が立つ踏面を有する踏板１１を備えている。図２に示すように、この踏板１１の両側縁部及び踏段が昇り方向に進行するときの前端部には、黄色注意標色１２（デマケーションライン）が塗装などにより形成されている。また、踏板１１の踏面には、クリートと称する溝が形成され、この溝は乗降口に設けられた櫛（図示せず）と噛み合うように構成されている。
【００１３】
踏板１１は、一般にアルミダイキャストからなる踏板本体１１ａと、透明な樹脂等からなるクリート部材１１ｂとにより構成されている。図３に、図２に示した踏板１１のＡ−Ａ線断面を図示するように、踏板本体１１ａのほぼ中央部には、踏面側から厚み方向に凹部１１ｃが形成されていて、この凹部１１ｃにクリート部材１１ｂが取り付けられ、その踏面が踏板本体１１ａの踏面と同一面となっている。なお、図１においては、クリート部材１１ｂを代表的に一つの踏段に図示しているが、複数の踏段に設けることができることはいうまでもない。
【００１４】
そして、クリート部材１１ｂの四隅近傍には、ネジ１４により踏板本体１１ａに固定されている。すなわち、クリート部材１１ｂの四隅近傍は貫通孔が設けられていて、この貫通孔にネジ１４が通され、この下端がクリート部材１１ｂの下側に位置する踏板本体１１ａにタップ加工で形成されたネジ孔に締結固定されている。
【００１５】
そして、クリート部材１１ｂの踏面の下方には、クリート部材１１ｂを透して乗客に情報を提供する情報表示媒体の取付部１５が設けられている。
【００１６】
以上のような構成を有する踏段において、情報表示媒体の取付部１５に、情報表示媒体として、例えば、乗降時の注意事項や行先ガイドや広告などの各種情報が表されたシート（図示せず）を、その情報が表わされた面が、クリート部材１１ｂに対向するように取り付けられる。そうすれば、かかる各種情報を、乗客がクリート部材１１ｂを介して踏面側から視認できる。このような構成によれば、乗客は、乗客コンベアの一方の乗降口から他方の乗降口まで移動する間の移動時間全体にわたって各種情報を見ることができるので、十分な情報表示効果が得られる。
【００１７】
また、情報表示媒体の取付部１５に取り付けられる情報表示媒体を交換することによって、情報の変更を容易に行うことができるので、従来において踏段の踏面に塗料を用いて各種情報を描いて表示する場合に比べて、情報を変更するための労力が軽減される。
【００１８】
図２及び図３に示した本実施例において、情報表示媒体の取り付け又は交換は、次の手順で行われる。
【００１９】
まず、クリート部材１１ｂと踏板本体１１ａとを締結固定しているネジ１４を取り外し、次いで、クリート部材１１ｂを踏板本体１１ａの踏面から上方に取り外す。そして、図示しない情報表示媒体を単体で、又は情報表示媒体の取付用基体とともに、凹部１１ｃ上に載置するか、又は取り外したクリート部材１１ｂの裏面側に取り付ける。次いで、クリート部材１１ｂを凹部１１ｃに取り付けてから、ネジ１４によりクリート部材１１ｂを踏板本体１１ａに締結固定する。
【００２０】
本実施形態では、ネジ１４によりクリート部材１１ｂが、踏板本体１１ｃに着脱可能に取り付けられていることから、情報表示媒体の取り付け時又は交換時において、踏段そのものをエスカレータから着脱する作業が不要であり、したがって、エスカレータの専門作業者によらずとも、エスカレータの運転管理者によって簡単に情報表示媒体を取り付け、又は交換することが可能である。
【００２１】
ところで、クリート部材１１ｂが、踏板本体１１ａの凹部１１ｃに着脱可能に取り付けられた構成においては、クリート部材１１ｂと踏板本体１１ａとの隙間から水分や塵埃等の異物が、情報表示媒体の取付部１５に侵入することが考えられ、取付部１５に取り付けられた情報表示媒体の品質の低下を引き起こすおそれがある。
【００２２】
そこで、本実施形態の踏段においては、情報表示媒体の取付部１５に水分や塵埃等の異物の侵入を防止する封止手段を備えた構成にすることができる。この封止手段の一例を図４により説明する。図４は、クリート部材１１ｂと踏板本体１１ａとの取り付け端部を示す拡大断面図である。クリート部材１１ｂの下面の周縁部には、踏板本体１１ａに向けて突出した突起部１１ｄが設けられている。この突起部１１ｄが踏板本体１１ａの凹部１１ｃ底面に密着するようにクリート部材１１ｂを踏板本体１１ａに取り付け、さらに密着する領域において、ネジ１４により、クリート部材１１ｂと踏板本体１１ａとが締結固定されるようにする。かかる構成により、クリート部材１１ｂと踏板本体１１ａとの間が全周にわたって密着し、取付部１５を封止することができる。なお、図４に示した例では、クリート部材１１ｂの突起部１１ｄと密着する凹部１１ｃの底面の周縁部に溝１１ｅを形成し、この溝１１ｅとクリート部材１１ｂの突起部１１ｄとを嵌め合わせている。このようにすれば、水分や塵埃等の異物の侵入を一層確実に防止することができる。更に、クリート部材１１ｂの突起部１１ｄと踏板本体１１ａの凹部１１ｃとの密着部分にシリコーンなどの充填材が充填されれば、水分や塵埃の侵入をより効果的に防止することができる。なお、情報表示媒体に取付部１５を封止する封止部を設けるようにしてもよい。
【００２３】
次に本発明の他の実施形態を説明する。
【００２４】
以上述べた説明では、クリート部材１１ｂを踏面から上方に取り外して情報表示媒体を取付部１５に取り付けられるようにしていたが、本実施形態の踏段においては、情報表示媒体の取付部１５に情報表示媒体を導く開口を、踏板に接続されるライザ（けあげ）と踏板との接続部に設けられて、この開口を通して情報表示媒体を取付部１５に挿脱するようにしている。
【００２５】
かかる構成を図５を用いて説明する。図５は本実施形態の踏段１の右側面図である。図５において、踏段１が昇り方向に進行するときの踏板１１の後端部（図面においては左端部になる）にライザ１６が設けられ、このライザ１６の下端部近傍には踏板ローラ１７が設けられている。そして、踏段１の後端面の踏板１１とライザ１６との接続部に、情報表示媒体の取付部１５に連通すると共にクリート部材１１ｂの下方に位置する開口１８が設けられている。そして、この開口１８を通じて、情報表示媒体（図示せず）を、情報表示媒体の取付部１５に挿脱できるようになっている。このような構成により、クリート部材１１ｂを着脱する作業を行う必要なしに、情報表示媒体を、情報表示媒体の取付部１５に取り付け取り外しすることができる。なお、開口１８から水分や塵埃等の異物が取付部１５に浸入するのを防止するために、この開口１８に図示しないパッキンを取り付けることができる。
【００２６】
以上説明した実施形態の他にも、本発明の乗客コンベアの踏段は、種々の変形が可能である。クリート部材１１ｂの平面形状は、図１ないし図３に示した長方形に限られるものではない。例えば、図６に示すようにクリート部材２１をデザイン処理された形状や特定のロゴマーク形状にすることもでき、かかる形状によりクリート部材２１を広告媒体として使用することもできる。また、図７に示すように、クリート部材２２を足形を模した形状にしたものにすることができ、これにより、踏板１１上における乗客の足の位置を指示して注意喚起することができる。このようにクリート部材を種々の平面形状にすることにより、そのクリート部材自体を情報表示媒体として活用することができる。
【００２７】
また、先に図２ないし図４を用いて説明したような、クリート部材１１ｂが、ネジ１４により踏板本体１１ａと締結固定される構成の他に、クリート部材１１ｂを踏板本体１１ａに対して上下に回動自在に取り付けるよう構成することもできる。
【図面の簡単な説明】
【００２８】
【図１】本発明の一実施形態である踏段を備えたエスカレータの全体の概略図である。
【図２】図１のエスカレータの踏板の平面図である。
【図３】図２のＡ−Ａ線断面図である。
【図４】実施形態の変形例であり、踏板本体とクリート部材との取り付け端部の拡大断面図である。
【図５】本発明の他の実施形態に係る踏段の右側面図である。
【図６】本発明の他の実施形態に係る踏段の踏板の平面図である。
【図７】本発明の他の実施形態に係る踏段の踏板の平面図である。
【符号の説明】
【００２９】
１  踏段
１１  踏板
１１ａ  踏板本体
１１ｂ  クリート部材
１１ｄ  突起部（封止手段）
１４  ネジ
１５  情報表示媒体の取付部
【図１】
2005247471.tif 000003
【図２】
2005247471.tif 000004
【図３】
2005247471.tif 000005
【図４】
2005247471.tif 000006
【図５】
2005247471.tif 000007
【図６】
2005247471.tif 000008
【図７】
2005247471.tif 000009